(57)【特許請求の範囲】
【請求項１】
ボトルと、ボトル口部に取着された第２液収納容器と、
注出筒と、注出筒の下端に連設された底板除去部材と、変形可能なドーム壁とを具えた注出ヘッド、並びに嵌合筒部とからなる注出部材と、
注出部材を被うカバーキャップとからなる二液混合注出容器であって、
第２液収納容器が、外筒と、外筒の中間部に連設され下端に内周壁を垂設した円錐筒と、内周壁に連設され周縁に沿って切断溝を刻設して除去可能とした底板とを具えており、
底板除去部材が、下端を切断刃とした切断円筒であることを特徴とする二液混合注出容器。
【請求項２】
ボトルと、ボトル口部に取着された第２液収納容器と、
注出筒と注出筒の下端に連設された底板除去部材と変形可能なドーム壁とを具えた注出ヘッド、並びに嵌合筒部とからなる注出部材と、
注出部材を被うカバーキャップとからなる二液混合注出容器であって、
第２液収納容器が、外筒と下端部を縮径筒とした内筒とを具えた容器本体と、縮径筒下端に嵌合され、除去可能とした底板とを具えており、
底板除去部材が、底板を押下げる円筒体であることを特徴とする二液混合注出容器。
【請求項３】
注出部材の嵌合筒部が、第２液収納容器に設けられた嵌合筒に嵌合されており、
注出筒と嵌合筒部とが変形可能なドーム壁によって連結され、注出筒が上下動可能であることを特徴とする請求項１または２記載の二液混合注出容器。
【請求項４】
カバーキャップが、取り外し可能なヘッドカバーと下部周壁とからなっていることを特徴とする請求項１〜３のいずれか一項記載の二液混合注出容器。
【発明の詳細な説明】
【０００１】
【発明の属する技術分野】
本発明は、二液混合注出容器、とくに容器内に除去可能な底板を具えた第２液収納容器を取着し、使用時に底板を除去して二液を混合させるようにした二液混合注出容器に関する。
【０００２】
【発明が解決しようとする課題】
薬液、化粧料、毛染剤など二液を混合して使用することは従来より行われているが、従来のものでは、二液を別個の容器に収納しておき、使用時に、一方の容器の液を他方の容器に入れて混合したり、あるいは二つの容器の液を別個の容器に入れ、混合したりしていた。
【０００３】
そのため、最低でも、二液を入れるため二個の容器を必要とするという問題があり、二液の容量が異なる場合には、異なる大きさの容器を用いなければならず、函詰め効率が悪くなったり、また、一方の容器を紛失すると他方の液が無駄になるというような問題もあった。
【０００４】
本発明は、上記問題点を解決し、容器内に別個の区画を設け、二液を一つの容器に収容し、使用時に区画の仕切りを抜き去り、二液を混合させ、注出するようにした液注出容器を提供することを目的とする。
【０００５】
【課題を解決するための手段】
本発明は、上記の課題を解決するため、二液混合注出容器として、ボトルと、ボトル口部に取着された第２液収納容器と、注出筒と、注出筒の下端に連設された底板除去部材と、変形可能なドーム壁とを具えた注出ヘッド、並びに嵌合筒部とからなる注出部材と、 注出部材を被うカバーキャップとからなる二液混合注出容器であって、第２液収納容器が、外筒と、外筒の中間部に連設され下端に内周壁を垂設した円錐筒と、内周壁に連設され周縁に沿って切断溝を刻設して除去可能とした底板とを具えており、底板除去部材が、下端を切断刃とした切断円筒であることを特徴とする構成とする。
【０００６】
二液混合注出容器の別実施形態として、ボトルと、ボトル口部に取着された第２液収納容器と、注出筒と注出筒の下端に連設された底板除去部材と変形可能なドーム壁とを具えた注出ヘッド、並びに嵌合筒部とからなる注出部材と、注出部材を被うカバーキャップとからなる二液混合注出容器であって、第２液収納容器が、外筒と下端部を縮径筒とした内筒とを具えた容器本体と、縮径筒下端に嵌合され、除去可能とした底板とを具えており、底板除去部材が、底板を押下げる円筒体であることを特徴とする構成を採用する。
【０００７】
注出部材の実施形態として、注出部材の嵌合筒部が、第２液収納容器に設けられた嵌合筒に嵌合されており、注出筒と嵌合筒部とが変形可能なドーム壁によって連結され、注出筒が上下動可能であることを特徴とする構成を採用する。
【０００８】
カバーキャップの実施形態として、カバーキャップが、取り外し可能なヘッドカバーと下部周壁とからなっていることを特徴とする構成を採用する。
【０００９】
【発明の実施の形態】
次に、本発明の第１実施形態の二液混合注出容器について、図面を参照して説明する。
図１において、Ａはボトル、Ｂはボトル口部に装着された第２液収納容器、Ｃは注出部材、Ｄはカバーキャップである。
本発明注出容器は、２液を混合して使用する二液型の洗浄剤、薬品、化粧料、毛染剤等を収容するために使用される。
【００１０】
ボトルＡは、口部１と肩部２、胴部３と底部４とからなっており、ボトルＡ内には、第一液が収容されている。
口部１の外周には、膨出環５が突設されており、胴部３には、膨出突条６が突設されている。
【００１１】
図１，２に示すように、第２液収納容器Ｂは、口部１内周に嵌合される外筒７と、外筒７の中間部に連設され、下端に内周壁８を垂設した円錐筒９および底板１０とからなっている。
外筒７の上端には、口部１天面に接合する段部１１が形成され、その上方は、拡径され、嵌合筒１２となっている。
【００１２】
外筒７の外周には、口部１内周との間に締め代を形成するために、膨出環１３が設けられている。
底板１０には周縁に沿って薄肉を残して切断溝１４が刻設されており、切断溝１４を切断することによって、底板１０を内周壁８より切り離し、除去できるようになっている。
【００１３】
図３に示すように、注出部材Ｃは、注出ヘッドＣ１と嵌合筒部Ｃ２とからなっており、注出ヘッドＣ１は、注出筒２０と注出筒２０に連設された底板１０の除去部材２１と薄肉の変形可能なドーム壁２２とを具えている。
注出筒２０は、頂壁２３と側周壁２４とを具えており、頂壁２３中央には、吐出孔２５を穿孔した吐出筒２６が立設されている。
【００１４】
側周壁２４の上端周縁には、蝶番を介してヒンジキャップ２７が取着されており、蝶番の反対側には、凹部２８が設けられている。
ヒンジキャップ２７は、頂壁２９と側壁３０とを具えており、頂壁２９中央には、吐出孔２５を塞ぐ栓体３１が垂設され、側壁３０の蝶番の反対側には、摘み３２が突設されている。
【００１５】
除去部材２１は、側周壁２４下端に内周縁から延びるように垂設された切断円筒３３によって形成され、切断円筒３３の下端は、斜めに切截され、切断刃３４が形成されている。
切断円筒３３には、下端から側周壁２４に至る縦方向のスリット３５が刻設され、注出時に、ドーム壁２２内を流れる混合液が注出筒２０内に流れるようにしている。
ドーム壁２２は、側周壁２４下端の外周縁を頂部として外方に延びるよう形成され、その下端の円筒部３６は、嵌合筒部Ｃ２に連設されている。
【００１６】
嵌合筒部Ｃ２は、上壁３７と嵌合筒３８とを具えており、上壁３７の内周縁はドーム壁２２の円筒部３６に接続され、その下方には、嵌合筒１２内周に嵌合し内部を密閉する密封リング３９が垂設されている。
嵌合筒３８は、上壁３７の外周縁から垂設されており、上端には、段部４０が設けられ、中間部には、フランジ４１が突設されている。
フランジ４１の周縁から肩部２を被うカバー筒４２が垂設されている。
【００１７】
嵌合筒３８の段部４０近くの外周には、膨出環４３が設けられており、嵌合筒３８の内周は、その上方部は第２液収納容器Ｂの嵌合筒１２に一定の締め代をもって嵌合し、下方部には、ボトル口部１の膨出環５に係合する膨出環４４が設けられている。
【００１８】
図４に示すように、カバーキャップＤは、頂壁５０と側壁５１とからなるヘッドカバーＤ１と、側壁５１の下端に水平に延びる連結片５２を介して連設された下部周壁５３とからなっている。
下部周壁５３の内周には、等間隔をおいてリブ５４が設けられ、下端には、嵌合筒３８の膨出環４３に係合する膨出環５５が設けられている。
下部周壁５３の上端には、切断可能な連結片５６を介して、頂壁５０と同一の高さまで延びるガード筒５７が連設されている。
ガード筒５７には、縦方向の切れ目５８が形成され、上端に摘み５９が設けられている。
【００１９】
次に、本実施形態混合注出容器の使用態様と作用効果について説明する。
２液の充填にあたっては、ボトルＡに第１液を充填して第２液収納容器Ｂをボトル口部１に嵌着し、次いで、第２液を第２液収納容器Ｂに入れ、注出部材Ｃを嵌合筒１２に嵌着して、カバーキャップＤを被嵌する。
次に、カバーキャップＤが被嵌された二液混合注出容器に、包装が施された後に輸送されるが、ボトルＡの上部にガード筒５７が連設され、全体が一つの筒状体となっているので、みばえがよく、取扱いにも便利である。
【００２０】
混合注出容器の使用にあたって、まず、ガード筒５７を摘み５９をつかんで外方に引っ張ると、連結片５６が順次に切断されて、ガード筒５７を取り外すことができ、カバーキャップＤのヘッドカバーＤ１が露出する。
ヘッドカバーＤ１の頂壁５０を上方から押圧すると、下部周壁５３との間の連結片５２が切断され、ヘッドカバーＤ１が下部周壁５３より外される。
【００２１】
次いで、ヘッドカバーＤ１を介して注出筒２０を押下げると、図５に示すように、ドーム壁２２が変形され、切断円筒３３の切断刃３４が、底板１０の薄肉の切断溝１４を切断し、底板１０を第２液収納容器より除去し、第２液がボトルＡ内の第１液に混合される。
【００２２】
次いで押圧を解くと、図６に示すように、ドーム壁２２が復元して注出筒２０が上昇位置に戻り、その時点でヘッドカバーＤ１を廃棄することができる。
その際、肉厚が薄くした場合、ドーム壁２２が完全に戻らないこともあるが、何ら支障がない。
注出にあたっては、ヒンジキャップ２７を開き、ボトルＡを傾けると、所要量の混合液を注出することができる。
【００２３】
次に、本発明第２実施形態について、図面を参照して説明する。
本実施形態は、前記第１実施形態の混合注出容器における第２液収納容器、注出筒、カバーキャップの構成を変更したもので、図７において、Ａａはボトル、Ｂａは第２液収納容器、Ｃａは注出部材、Ｄａはカバーキャップである。
【００２４】
ボトルＡａは、第１実施形態と同一の構成を有しており、口部１ａと肩部２ａ、胴部３ａと底部４ａとからなっており、ボトルＡａ内には、第１液が収容されている。
口部１ａの外周には、膨出環５ａが突設されており、胴部３ａには、膨出突条６ａが突設されている。
【００２５】
図８に示すように、第２液収納容器Ｂａは、容器本体Ｂａ１と取り外し自在の底板Ｂａ２とからなり、容器本体Ｂａ１は、内筒６０と上壁６１、外筒６２とを具えている。
内筒６０は、口部内周に接合する垂直部６０ａとその下端から内方に湾曲する湾曲部６０ｂと、その下方の薄肉の縮径筒６３とから形成され、湾曲部６０ｂには、複数のリブ６４が設けられている。
【００２６】
外筒６２の内周には、口部１ａの膨出環５ａの下側に係合する膨出環６５が設けられており、上壁６１には、外筒６２の上方から延びる嵌合筒６６が立設されている。
上壁６１の周縁には、上部に膨出環を設けた外周壁６７が垂設され、その下端から外方に拡がるフランジ６８が連設されており、フランジ６８の周縁からはボトルＡａの肩部２ａを覆うカバー筒６９が垂設されている。
【００２７】
底板Ｂａ２は、円形の底板７０とその周縁に連設された嵌合筒７１とからなっており、嵌合筒７１は、内筒７２とその下端から折り曲げられ、上方に延設された外筒７３とからなっている。
嵌合筒７１は、容器本体Ｂａ１の縮径筒６３の下端に嵌着され、内筒７２と外筒７３によって縮径筒６３を挟持して液密にしている。
【００２８】
図９に示すように、注出部材Ｃａは、注出ヘッドＣａ１と嵌合筒部Ｃａ２とからなっており、注出ヘッドＣａ１は、注出筒８０と、注出筒８０に連設された底板Ｂａ２の除去部材である円筒体８１と薄肉の変形可能なドーム壁８２とからなっている。
注出筒８０は、頂壁８３と側周壁８４とを具えており、頂壁８３中央には、吐出孔８５を穿孔した吐出筒８６が立設されている。
【００２９】
側周壁８４の上端周縁には、蝶番を介してヒンジキャップ８７が取着されており、蝶番の反対側には、凹部８８が設けられている。
ヒンジキャップ８７は、頂壁８９と側壁９０とを具えており、頂壁８９中央には、吐出孔８５を塞ぐ栓体９１が垂設され、側壁９０の蝶番の反対側には、摘み９２が突設されている。
【００３０】
円筒体８１は、側周壁８４下端に内周縁から延びるように垂設され、注出筒８０が上昇位置にある当初の時点では、底板Ｂａ２にほとんど接するような長さを有している。
円筒体８１には、下端から側周壁８４に至る縦方向のスリット９３が刻設され、注出時に、ドーム壁８２内を流れる混合液が注出筒８０内に流れるようにしている。
ドーム壁８２は、側周壁８４下端の外周縁を頂部として外方に延びるよう形成され、その下端の円筒部９４には、嵌合筒部Ｃａ２が連設されている。
【００３１】
嵌合筒部Ｃａ２は、上壁９５と嵌合筒９６とを具えており、上壁９５の内周縁は、ドーム壁８２の円筒部９４に接続され、その下方には、容器Ｂａの嵌合筒６６内周に嵌合して内部を密封する密封リング９７が垂設されている。
嵌合筒９６は、上壁９５の外周縁から垂設され、その下端には、外方に拡がるフランジ９８が設けられ、容器Ｂａの上壁６１に接合している。
フランジ９８の外周縁から下端に突出環９９を設けた外周筒１００が垂設されており、外周筒１００の外周中間部には、膨出環１０１が設けられ、下端内周には、容器本体Ｂａ１の外周壁６７の膨出環６５に係合する膨出環１０２が設けられている。
【００３２】
図１０に示すように、カバーキャップＤａは、頂壁１１０と側壁１１１とからなるヘッドカバーＤａ１、側壁１１１の下端に水平に延びる連結片１１２を介して連設された下部周壁１１３とからなっている。
下部周壁１１３の下部には、拡径筒１１４が形成され、該拡径筒１１４の下端部内周には、外周筒１００の膨出環１０１の下側に係合する膨出環１１５が設けられている。
上記カバーキャップＤａには、第１実施形態のガード筒５７を下部周壁１１３の上端に立設してもよい。
【００３３】
次に、本実施形態混合注出容器の使用態様と作用効果について説明する。
本混合注出容器には、第１形態と同様に、ボトルＡａに第１液を充填して、第２液収納容器Ｂａをボトル口部１ａに嵌着し、次に、第２液を第２液収納容器Ｂａに入れ、注出部材Ｃａを第２液収納容器Ｂａの嵌合筒６６に嵌着し、その上にカバーキャップＤａを被嵌する。
【００３４】
使用にあたって、カバーキャップＤａの頂壁１１０をうえから押圧すると連結片１１２が切断されて、注出ヘッドＣａ１を被うヘッドカバーＤａ１が下部周壁１１３から外れる。
次いで、ヘッドカバーＤａ１の頂壁１１０を介して注出ヘッドＣａ１を押下げると、図１１に示すように、薄肉のドーム壁８２が変形し、円筒体８１が底壁７０を押下げ、底板Ｂａ２の嵌合筒７１が縮径筒６３から取り外され、第２液がボトルＡａ内に落ち、２液の混合液が作られる。
【００３５】
次に、押圧を解くと、図１２に示すように、ドーム壁８２が復元し、注出ヘッドＣａ１は元の上昇位置に戻ることになる。
その際、肉厚が薄くした場合、ドーム壁８２が完全に戻らないこともあるが、何ら支障がない。
注出にあたっては、ヒンジキャップ８７を開き、ボトルＡａを傾けると、必要量の混合液を注出することができる。
【００３６】
【発明の効果】
本発明は、上記のように構成されているから、次の効果を奏する。
ボトル内に配設した第２液収納容器に取り外し可能な底板を設け、注出ヘッドに設けた除去部材によって底板を取り外すようにしたので、ボトル内で２液を混合させることができ、それぞれの液を収容する別個の容器が不必要となった。
【図面の簡単な説明】
【図１】本発明第１実施形態注出容器の一部断面正面図である。
【図２】第２液収納容器の一部断面正面図である。
【図３】注出部材の一部断面正面図である。
【図４】カバーキャップの一部断面正面図である。
【図５】底板除去時の説明図である。
【図６】  ドーム壁復元時の説明図である。
【図７】  第２実施形態注出容器の一部断面正面図である。
【図８】  第２液収納容器の一部断面正面図である。
【図９】  注出部材の一部断面正面図である。
【図１０】  カバーキャップの一部断面正面図である。
【図１１】  底板除去時の説明図である。
【図１２】  ドーム壁復元時の説明図である。
【符号の説明】
Ａ、Ａａ      ボトル
Ｂ、Ｂａ      第２液収納容器
Ｂａ１        容器本体
Ｂａ２        底板
Ｃ、Ｃａ      注出部材
Ｃ１、Ｃａ１  注出ヘッド
Ｃ２、Ｃａ２  嵌合筒部
Ｄ、Ｄａ      カバーキャップ
Ｄ１、Ｄａ１  ヘッドカバー
１、１ａ      口部
７、６２      外筒
８            内周壁
９            円錐筒
１０          底板
１２、７１    嵌合筒
１４          切断溝
２０、８０    注出筒
２１          除去部材
２２、８２    ドーム壁
２３、８３    頂壁
２４、８４    側周壁
２６、８６    吐出筒
２７、８７    ヒンジキャップ
３３          切断円筒
３４          切断刃
３５、９３    スリット
３６          円筒部
３７、９５    上壁
３８、９６    嵌合筒
３９、９７    密封リング
４２、６９    カバー筒
５０、１１０  頂壁
５１、１１１  側壁
５２、１１２  連結片
５３、１１３  下部周壁
５７          ガード筒
６０          内筒
６１          上壁
６６          嵌合筒
７０          底壁
８１          円筒体
【図１】
0003989689.tif 000002
【図２】
0003989689.tif 000003
【図３】
0003989689.tif 000004
【図４】
0003989689.tif 000005
【図５】
0003989689.tif 000006
【図６】
0003989689.tif 000007
【図７】
0003989689.tif 000008
【図８】
0003989689.tif 000009
【図９】
0003989689.tif 000010
【図１０】
0003989689.tif 000011
【図１１】
0003989689.tif 000012
【図１２】
0003989689.tif 000013